(57)【要約】【課題】  ドライ運転時の安定かつ適正な除湿能力を常に確保して快適性の向上が図れるとともに、ドライ運転時の室内温度の変動を緩やかにすることができる空気調和機を提供する。【解決手段】  室内温度と設定温度との差および室内湿度と設定湿度との差に対応付けて記憶されているドライ運転時の圧縮機回転数、室内ファン回転数、室外ファン回転数のうち、室内温度センサ２２により検知される室内温度Ｔａと設定温度Ｔｓとの差（Ｔａ−Ｔｓ）および室内湿度センサ２３により検知される室内湿度Ｈａと設定湿度Ｈｓとの差（Ｈａ−Ｈｓ）に対応する圧縮機回転数、室内ファン回転数、室外ファン回転数に従い、圧縮機１の回転数（運転周波数Ｆ）、室内ファン９の回転数、室外ファン８の回転数が制御される。【選択図】      図１
2004239609.tif 000002
【特許請求の範囲】
【請求項１】
圧縮機、室内熱交換器、膨張機構、室外熱交換器、第１室内熱交換器、第２室内熱交換器、及び前記第１室内熱交換器と前記第２室内熱交換器との間にドライ用絞り装置を設けたサイクル構成を持つ空気調和機において、
室内温度を検知する室内温度センサと、室内湿度を検知する室内湿度センサと、前記圧縮機の回転数、前記室内熱交換器用の室内ファンの回転数、前記室外熱交換器用の室外ファンの回転数を制御する制御手段とを備え、
前記制御手段は、室内温度と設定温度との差および室内湿度と設定湿度との差に対応付けて記憶されているドライ運転時の圧縮機回転数、室内ファン回転数、室外ファン回転数のうち、前記室内温度センサにより検知される室内温度と設定温度との差および前記室内湿度センサにより検知される室内湿度と設定湿度との差に対応する圧縮機回転数、室内ファン回転数、室外ファン回転数に従い、前記圧縮機の回転数、前記室内ファンの回転数、前記室外ファンの回転数を制御することを特徴とする空気調和機。
【請求項２】
前記記憶されているドライ運転時の室内ファン回転数は、室内温度と設定温度との差が０を中心として正及び負の値が大きくなるにしたがって大きくなると同時に室内湿度と設定湿度との差が大きくなるにしたがって大きくなるように設定されていることを特徴とする請求項１記載の空気調和機。
【請求項３】
前記記憶されているドライ運転時の室内ファン回転数は、室内温度と設定温度との差が０を中心として正及び負の値が大きくなるにしたがって大きくなると同時に室内湿度と設定湿度との差が大きくなるにしたがって大きくなるように設定され、さらに、室内温度と設定温度との差が離れた領域において、正側よりも負側の方が同じ絶対値の差に対して小さな値に設定されていることを特徴とする請求項１記載の空気調和機。
【発明の詳細な説明】
【技術分野】
【０００１】
この発明は、ドライ運転の機能を備えた空気調和機に関する。
【背景技術】
【０００２】
空気調和機には、２つの室内熱交換器を絞り量可変の膨張弁を介して接続し、その膨張弁を全開して両室内熱交換器を共に蒸発器として機能させることにより冷房運転を実行するとともに、膨張弁を絞って両室内熱交換器のうち一方を蒸発器、他方を再熱器（凝縮器）として機能させることによりドライ運転を実行するものがある。すなわち、ドライ運転では、蒸発器で冷却および除湿された空気が再熱器で再熱され、通常温度となって室内に吹出される。
【発明の開示】
【発明が解決しようとする課題】
【０００３】
ドライ運転では、安定かつ適正な除湿能力を常に確保することが望まれる。
【０００４】
この発明は上記の事情を考慮したもので、ドライ運転時の安定かつ適正な除湿能力を常に確保して快適性の向上が図れるとともに、ドライ運転時の室内温度の変動を緩やかにすることができる空気調和機を提供することを目的とする。
【課題を解決するための手段】
【０００５】
請求項１に係る発明の空気調和機は、圧縮機、室内熱交換器、膨張機構、室外熱交換器、第１室内熱交換器、第２室内熱交換器、及び上記第１室内熱交換器と上記第２室内熱交換器との間にドライ用絞り装置を設けたサイクル構成を持つものであって、室内温度を検知する室内温度センサと、室内湿度を検知する室内湿度センサと、上記圧縮機の回転数、上記室内熱交換器用の室内ファンの回転数、上記室外熱交換器用の室外ファンの回転数を制御する制御手段と、を備えている。そして、制御手段は、室内温度と設定温度との差および室内湿度と設定湿度との差に対応付けて記憶されているドライ運転時の圧縮機回転数、室内ファン回転数、室外ファン回転数のうち、上記室内温度センサにより検知される室内温度と設定温度との差および上記室内湿度センサにより検知される室内湿度と設定湿度との差に対応する圧縮機回転数、室内ファン回転数、室外ファン回転数に従い、上記圧縮機の回転数、上記室内ファンの回転数、上記室外ファンの回転数を制御する。
【０００６】
請求項２に係る発明の空気調和機は、請求項１に係る発明において、記憶されているドライ運転時の室内ファン回転数について限定している。すなわち、ドライ運転時の室内ファン回転数は、室内温度と設定温度との差が０を中心として正及び負の値が大きくなるにしたがって大きくなると同時に室内湿度と設定湿度との差が大きくなるにしたがって大きくなるように設定されている。
【０００７】
請求項２に係る発明の空気調和機は、請求項１に係る発明において、記憶されているドライ運転時の室内ファン回転数について限定している。すなわち、ドライ運転時の室内ファン回転数は、室内温度と設定温度との差が０を中心として正及び負の値が大きくなるにしたがって大きくなると同時に室内湿度と設定湿度との差が大きくなるにしたがって大きくなるように設定され、さらに、室内温度と設定温度との差が離れた領域において、正側よりも負側の方が同じ絶対値の差に対して小さな値に設定されている。
【発明の効果】
【０００８】
この発明によれば、ドライ運転時の安定かつ適正な除湿能力を常に確保して快適性の向上が図れるとともに、ドライ運転時の室内温度の変動を緩やかにすることができる空気調和機を提供できる。
【発明を実施するための最良の形態】
【０００９】
以下、この発明の一実施形態について図面を参照して説明する。
【００１０】
図１に示すように、圧縮機１の吐出口に、四方弁２を介して室外熱交換器３が接続される。この室外熱交換器３が、膨張機構たとえばドライ用絞り装置として機能する第１電子膨張弁４を介して第１室内熱交換器５に接続される。第１室内熱交換器５が絞り量可変の膨張機構たとえば第２電子膨張弁６を介して第２室内熱交換器７に接続され、その第２室内熱交換器７が四方弁２を介して圧縮機１の吸込口に接続される。
【００１１】
電子膨張弁４，６は、入力される駆動パルスの数に応じて開度が連続的に変化するパルスモータバルブである。以下、このパルスモータバルブのことをＰＭＶと略称する。
【００１２】
圧縮機１は能力可変（回転数可変）圧縮機で、駆動モータがインバータ回路１１に接続される。このインバータ回路１１は、商用交流電源１０の電圧を整流し、それを制御部２０の指令に応じた周波数の交流に変換し、出力する。この出力は、圧縮機モータの駆動電力となる。
【００１３】
室外熱交換器３の近傍に室外ファン（室外熱交換器のファン）８が設けられる。この室外ファン８は室外熱交換器３に外気を循環させるもので、モータ８Ｍが位相制御回路１２に接続される。この位相制御回路１２は、商用交流電源１０からモータ８Ｍに対する通電を制御部２０の指令に応じて位相制御する。この位相制御により、室外ファン８の回転数の変化が可能となっている。
【００１４】
室内熱交換器５，７の近傍に室内ファン（室内熱交換器のファン）９が設けられる。この室内ファン９は室内熱交換器５，７に室内空気を循環させるもので、モータ９Ｍがタップ切換回路１３を介して商用交流電源１０に接続される。タップ切換回路１３は、速度切換タップＨ（高速），Ｍ（中速），Ｌ（低速），Ｌ−（微低速），ＵＬ（超低速）を有し、制御部２０の指令に応じたタップ切換を行なう。
【００１５】
第２電子膨張弁６と第２室内熱交換器７との接続管に、温度センサ１４が取付けられる。第２室内熱交換器７と四方弁２との接続管において、第２室内熱交換器７に近い位置に温度センサ１５が取付けられる。また、ＰＭＶ４と第１室内熱交換器５との接続管において、第１室内熱交換器５に近い位置に温度センサ１６が取付けられる。
【００１６】
制御部２０は、マイクロコンピュータおよびその周辺回路からなり、空気調和機の全般にわたる制御を行なう。この制御部２０に、リモートコントロール式の操作器（以下、リモコンと略称する）２１、室内温度センサ２２、室内湿度センサ２３、室外温度センサ２４、四方弁２、ＰＭＶ４、ＰＭＶ６、インバータ回路１１、位相制御回路１２、タップ切換回路１３、温度センサ１４，１５，１６が接続される。
【００１７】
制御部２０は、次の機能手段を備える。
【００１８】
［１］圧縮機１を運転し、圧縮機１から吐出される冷媒を四方弁２、室外熱交換器３、ＰＭＶ４、第１室内熱交換器５、ＰＭＶ６、第２室内熱交換器７、四方弁２に通して流し、且つＰＭＶ４を絞り制御するとともにＰＭＶ６を全開し、冷房運転を実行する手段。
【００１９】
［２］冷房運転時、蒸発器として機能する室内熱交換器５，７での冷媒過熱度（＝温度センサ１５の検知温度−温度センサ１６の検知温度）が一定値となるようＰＭＶ４の開度（絞り量）を制御する手段。
【００２０】
［３］冷房運転時、あらかじめ内部メモリに定められた冷房用の周波数・回転数割付条件と、室内温度センサ２２で検知される室内温度Ｔａおよび室内湿度センサ２３で検知される室内湿度Ｈａとから、圧縮機１の運転周波数（インバータ回路１１の出力周波数）Ｆおよび室内ファン９の回転数（タップ切換回路１３の切換に基づく）を設定する手段。
【００２１】
［４］圧縮機１を運転し、圧縮機１から吐出される冷媒を四方弁２、室外熱交換器３、ＰＭＶ４、第１室内熱交換器５、ＰＭＶ６、第２室内熱交換器７、四方弁２に通して流し、且つＰＭＶ４を全開してＰＭＶ６を絞り制御し、ドライ運転を実行する手段。
【００２２】
［５］ドライ運転時、あらかじめ内部メモリに定められたドライ用の周波数・回転数割付条件と、室内温度Ｔａおよび室内湿度Ｈａとから、圧縮機１の運転周波数（圧縮機１の回転数に対応する）Ｆ、室内ファン９の回転数、および室外ファン８の回転数を設定する手段。
【００２３】
［６］ドライ運転時、検知される室内温度Ｔａに応じて室外ファン８の回転数（位相制御回路１２の出力に基づく）Ｎを制御し、これにより顕熱量を調節し、ドライ空気の温度が異なる冷気味ドライ、等温ドライ、暖気味ドライを選択的に実行する手段。
【００２４】
［７］冷気味ドライおよび等温ドライ時、蒸発器として機能する室内熱交換器７での冷媒過熱度（＝温度センサ１５の検知温度−温度センサ１４の検知温度）が一定値となるようＰＭＶ６の開度（絞り量）を制御する手段。
【００２５】
［８］暖気味ドライ時、ＰＭＶ６を一定開度に維持する手段。
【００２６】
［９］圧縮機１を運転し、圧縮機１から吐出される冷媒を四方弁２、第２室内熱交換器７、ＰＭＶ６、第１室内熱交換器５、ＰＭＶ４、室外熱交換器３、四方弁２に通して流し、且つＰＭＶ６を全開してＰＭＶ４を絞り制御し、暖房運転を実行する手段。
【００２７】
［10］暖房運転時、蒸発器として機能する室外熱交換器３での冷媒過熱度が一定値となるようＰＭＶ４の開度を制御する手段。なお、室外熱交換器３での冷媒過熱度を検出する温度センサは室外熱交換器３の中間位置および室外熱交換器３と四方弁２との間にそれぞれ設ける（図示せず）。
【００２８】
［11］暖房運転時、室内温度Ｔａに応じて圧縮機１の運転周波数Ｆを制御する手段。
【００２９】
［12］リモコン２１での設定モードに応じて冷房運転、ドライ運転、暖房運転のいずれかの実行を選択する手段。
【００３０】
［13］リモコン２１で自動モードが設定されると、室内温度Ｔａの領域に応じて、冷房・ドライモードの設定または暖房運転の実行を選択する手段。
【００３１】
［14］冷房・ドライモードが設定されると、室内温度Ｔａおよび室内湿度Ｈａとあらかじめ内部メモリに定められた運転モード選択条件とから冷房運転の実行またはドライ運転の実行を選択する手段。
【００３２】
つぎに、室内熱交換器５，７が搭載される室内ユニットの内部の構成を図２に示す。
【００３３】
３０は室内ユニットで、前面に空気吸込口３１、下部に空気吹出口３２を有する。内部には背面側に断熱材３３が設けられ、その断熱材３３と前面との間に、かつ空気吸込口３１から空気吹出口３２にかけて、通風路３４が形成される。この通風路３４に、ＰＭＶ６、室内熱交換器７、室内熱交換器５、室内ファン９、ルーバ３５が設けられる。
【００３４】
室内熱交換器７と室内熱交換器５は、アルミニウム製の共通のフィンに風上側と風下側に位置する２つの熱交換器を配列したもので、風上側が室内熱交換器７、風下側が室内熱交換器５となっている。また、室内熱交換器７，５のほぼ中央部は“く”の字形に屈曲され、ユニット筐体の縮小が図られている。
【００３５】
なお、このような一体構成の室内熱交換器７，５では、後述するドライ運転時、室内熱交換器７（＝蒸発器；冷却器）で生じるドレンが室内熱交換器５（＝再熱器；加熱器）に流れ込み、それが室内熱交換器５で蒸発して室内に吹出され、除湿性能の低下を招く心配がある。
【００３６】
そこで、両熱交換器のフィンにおいて、中間位置にスロット４０が形成される。つまり、室内熱交換器７（＝蒸発器）で生じるドレンをスロット４０によって下方に導く構成である。
【００３７】
ただし、“く”の字形状を有する室内熱交換器７，５では、図３に示すように、室内熱交換器７の上部で生じて一旦はスロット４０に流入したドレンが室内熱交換器５の下部に向けて滴下することがある。
【００３８】
この不具合を解消するため、図４に示すように、室内熱交換器７，５の上部側のスロット４０に板状のドレンガイド４１の上縁部が差し込まれ、そのドレンガイド４１の下縁部が室内熱交換器７，５の下部側のスロット４０に差し込まれる。ドレンガイド４１は、室内熱交換器７，５の屈曲に対応する“く”の字形状を有している。
【００３９】
つまり、室内熱交換器７の上部側で生じるドレンは、スロット４０およびドレンガイド４１の板面を伝わって流れ、室内熱交換器５の下部側に滴下することなく下方に導かれる。したがって、除湿性能の低下が防止される。しかも、ドレンガイド４１の存在により、屈曲部における無駄な通風がなくなり、熱交換効率の向上が図れる。
【００４０】
除湿性能の低下を防ぐ構成としては、他に図５に示すものがある。これは、室内熱交換器７の上部と下部との屈曲部にフィンの構成要素である接続片４２を残す構成である。
【００４１】
接続片４２は、図６に示すように、室内熱交換器７，５の屈曲前、その屈曲部となる位置のフィンに切り込みが入れられることによって予め形成されるもので、実際に屈曲がなされることで、板状に、しかも“く”の字形に形成される。
【００４２】
つまり、室内熱交換器７の上部側で生じるドレンは、スロット４０および接続片４２を伝わって流れ、室内熱交換器５の下部側に滴下することなく下方に導かれる。したがって、除湿性能の低下が防止される。しかも、接続片４２の存在により、屈曲部における無駄な通風がなくなり、熱交換効率の向上が図れる。
【００４３】
次に、全体の作用について説明する。
【００４４】
リモコン３１で自動モードが設定されたとする。この場合、室内温度センサ２２で検知される室内温度Ｔａが高めの冷房・ドライ領域にあれば、冷房・ドライモードが設定される。
【００４５】
冷房・ドライモードが設定されると、室内温度Ｔａおよび室内湿度センサ２３で検知される室内湿度Ｈａとあらかじめ制御部２０の内部メモリに定められた運転モード選択条件とから、冷房運転の実行、ドライ運転の実行、または送風運転の実行が選択される。
【００４６】
つまり、室内温度Ｔａがリモコン２１での設定温度Ｔｓよりも十分に高ければ冷房運転が実行され、室内温度Ｔａが設定温度Ｔｓを中心とする所定範囲内に収まっていればドライ運転が実行され、室内温度Ｔａが設定温度Ｔｓを下回って上記所定範囲から外れると送風運転が実行される。
【００４７】
冷房運転では、圧縮機１の運転、四方弁２の非作動（ニュートラル状態）、ＰＭＶ４の絞り、ＰＭＶ６の全開、室外ファン８の運転、室内ファン９の運転が設定される。
【００４８】
この場合、圧縮機１から冷媒が吐出され、それが四方弁２を通って室外熱交換器３に入る。この室外熱交換器３では、冷媒が外気に熱を放出して液化する。室外熱交換器３を経た冷媒は、ＰＭＶ４で気化し易いように減圧され、室内熱交換器５に入る。この室内熱交換器５に入った冷媒は、全開状態のＰＭＶ６を通って室内熱交換器７にも流入する。室内熱交換器５，７では、冷媒が室内空気から熱を奪って気化する。この室内熱交換器５，７を経た冷媒は、四方弁２を通って圧縮機１に戻る。
【００４９】
こうして、図１に実線矢印で示す方向に冷媒が流れて冷房サイクルが形成され、室外熱交換器３が凝縮器、室内熱交換器５，７が共に蒸発器として働くことにより、室内が冷房される。
【００５０】
この冷房運転時、蒸発器として機能する室内熱交換器５，７での冷媒過熱度（＝温度センサ１５の検知温度−温度センサ１６の検知温度）が一定値となるよう、ＰＭＶ４の開度が制御される。これにより、安定かつ適正な冷房能力が確保される。
【００５１】
ドライ運転では、圧縮機１の運転、四方弁２の非作動、ＰＭＶ４の全開、ＰＭＶ６の絞り、室外ファン８の運転、および室内ファン９の運転が設定される。
【００５２】
この場合、圧縮機１から冷媒が吐出され、それが四方弁２および室外熱交換器３を通り、さらにそこからＰＭＶ４を通って室内熱交換器５に入る。この室内熱交換器５では、冷媒が室内空気に熱を放出して液化する。室内熱交換器５を経た冷媒は、ＰＭＶ６で気化し易いように減圧され、室内熱交換器７に入る。この室内熱交換器７では、冷媒が室内空気から熱を奪って気化する。室内熱交換器７を経た冷媒は、四方弁２を通って圧縮機１に戻る。
【００５３】
こうして、図１に実線矢印で示す方向に冷媒が流れてドライサイクルが形成され、室外熱交換器３が凝縮器、室内熱交換器５も凝縮器（再熱器）、室内熱交換器７が蒸発器として働く。
【００５４】
したがって、室内熱交換器７で室内空気が冷却され、室内空気に含まれている水分がドレンとなって室内熱交換器７に付着する。この室内熱交換器７で冷却および除湿されたドライ空気は、再熱器である室内熱交換器５で暖められ、室内に吹出される。
【００５５】
このドライ運転時、あらかじめ定められた図７のドライ用の周波数・回転数割付条件と上記検知される室内温度Ｔａおよび室内湿度Ｈａとから、圧縮機１の運転周波数Ｆおよび室内ファン９の回転数が設定される。図７の周波数・回転数割付条件は、制御部２０の内部メモリに記憶されている。
【００５６】
図７の周波数・回転数割付条件において、上段の数値は運転周波数（圧縮機回転数）Ｆ、中断のアルファベットは室内ファン回転数であり、設定温度Ｔｓおよび設定湿度Ｈｓをそれぞれ中心とする広範囲の領域にわたって運転周波数Ｆが割り当てられている。下段の数値は室外ファン回転数（位相制御回路１２の出力に基づく）Ｎである。
【００５７】
たとえば、室内温度Ｔａと設定温度Ｔｓとの差（Ｔａ−Ｔｓ）が0deg〜0.5deg、室内湿度Ｈａと設定湿度Ｈｓとの差（Ｈａ−Ｈｓ）が+5％〜+10％のゾーンにあれば、その温度差および湿度差に対応付けられている運転周波数Ｆ＝28Hz、室内ファン９の超低速回転数ＵＬ、室外ファン８の回転数Ｎ＝200rpm（図示斜線のゾーン）が設定される。
【００５８】
このように、ドライ専用の割付条件が用意され、設定温度Ｔｓおよび設定湿度Ｈｓをそれぞれ中心とする広範囲の領域にわたって運転周波数Ｆが割り当てられることにより、室内温度Ｔａに基づく冷房能力の低下にかかわらず、必要十分な除湿能力（潜熱）を確保できる。よって、室内湿度Ｈａを設定湿度Ｈｓに向けて確実かつ迅速に到達させることができ、快適性の向上が図れる。
【００５９】
この場合、割付条件における下段の数値によって室外ファン８の回転数Ｎを設定しているが、これは室内温度Ｔａに応じた冷気味ドライ運転、等温ドライ運転、暖気味ドライ運転の選択用である。
【００６０】
室内温度Ｔａが低めでは、暖気味ドライ運転が選択される。この暖気味ドライ運転では、室外ファン８が回転数Ｎ＝0rpmまたは回転数Ｎ＝100rpmで運転される。この場合、室外熱交換器３での冷媒の放熱が少ないため（顕熱量が少）、再熱器（室内熱交換器５）に加わる熱量が多くなり、ドライ空気が十分に暖められて室内に吹出される。
【００６１】
室内温度Ｔａが設定温度Ｔｓに近ければ、等温ドライ運転が選択される。この等温のドライ運転では、室外ファン８が回転数Ｎ＝150rpmで運転される。この場合、室外熱交換器３での冷媒の放熱分だけ再熱器（室内熱交換器５）の放熱量が減り、ドライ空気は室内温度Ｔａと同じくらいに暖められる程度で室内に吹出される。
【００６２】
室内温度Ｔａが高めでは、冷気味ドライ運転が選択される。この冷気味ドライ運転では、室外ファン８が回転数Ｎ＝200rpmないし回転数Ｎ＝400rpmで運転される。この場合、室外熱交換器３での冷媒の放熱量が多くなる分だけ再熱器（室内熱交換器５）の放熱量が少なくなり、ドライ空気はあまり暖められずに冷たい状態で室内に吹出される。
【００６３】
このように、室外ファン８の回転数Ｎを制御してドライ空気の温度を調節することにより、室内温度の変動を緩やかにすることができ、快適である。
【００６４】
なお、図７のドライ用の周波数・回転数割付条件は、次のように表現することができる。
【００６５】
ドライ運転時の圧縮機１の運転周波数Ｆ（回転数）は、室内温度Ｔａと設定温度Ｔｓとの差が０を中心として正及び負の値が大きくなるにしたがって大きくなると同時に室内湿度Ｈａと設定湿度Ｈｓとの差が大きくなるにしたがって大きくなるように設定されている。
【００６６】
室内ファン９の回転数は、室内温度Ｔａと設定温度Ｔｓとの差が０を中心として正及び負の値が大きくなるにしたがって大きくなると同時に室内湿度Ｈａと設定湿度Ｈｓとの差が大きくなるにしたがって大きくなるように設定され、さらに、室内温度Ｔａと設定温度Ｔｓとの差が離れた領域において正側よりも負側の方が同じ絶対値の差に対して小さな値に設定されている。
【００６７】
室外ファン８の回転数Ｎは、室内温度Ｔａと設定温度Ｔｓとの差が大きくなるにしたがって大きくなるように設定されている。
【００６８】
そして、ドライ運転では、図８に示すように、室外ファン８の回転数ＮがＮ１（＝150rpm）以上となる等温ドライおよび冷気味ドライ運転時、蒸発器として機能する室内熱交換器５での冷媒過熱度（＝温度センサ１５の検知温度−温度センサ１４の検知温度）が一定値となるよう、ＰＭＶ６の開度が制御される。これにより、安定かつ適正な除湿能力が確保される。
【００６９】
ただし、室外ファン８の回転数ＮがＮ１（＝150rpm）以下となる暖気味ドライ運転では、冷媒過熱度の一定値制御が禁止され、ＰＭＶ６が一定開度に維持される。
【００７０】
一般に暖気味ドライ運転では、過熱度一定値制御を行なうと、再熱器の冷媒がほとんど過冷却域に達し、再熱器の加熱能力が低下するとともに、蒸発器能力は同等もしくは上昇することから、暖気味能力がかえって減少してしまう。すなわち、図９に示すように、圧縮機１の運転周波数Ｆが上昇しても顕熱量はあまり増えない。しかも、暖気味ドライ時の過熱度一定値制御では、冷凍サイクルの高低圧の差が大きくなって圧縮機負荷が増し、消費電力が上昇してしまう。
【００７１】
これらの不具合を解消するため、上記のようにＰＭＶ６を一定開度に維持するので、これにより快適空調および省エネルギ効果が得られる。
【００７２】
ところで、運転の停止から開始に際しては、図１０に示すように、電源投入時にＰＭＶ４，６のイニシャライズ（初期化）がなされる。このイニシャライズは、ＰＭＶ４，６の適正な開度調節を行なうべく、ＰＭＶ４，６を一旦全閉してから運転に必要な開度へと至らせるものである。
【００７３】
冷房運転からドライ運転への切換に際しては、ＰＭＶ４が絞り状態から全開状態に移行し、またＰＭＶ６が全開状態から絞り状態に移行するが、そのときに圧力変動に伴う大きな冷媒音が発生する心配がある。
【００７４】
そこで、冷房運転からドライ運転への切換のように冷媒の圧力変動が大きい状況では、ＰＭＶ４，６の開度変化を遅くする。たとえば、ＰＭＶ４，６に供給する駆動パルスの数を１秒間に10パルス程度に抑える。
【００７５】
運転中のように冷媒の圧力変度がそれほど大きくない状況では、ＰＭＶ４，６の開度変化を遅くする必要はなく、たとえばＰＭＶ４，６に供給する駆動パルスの数を１秒間に30パルス程度とする。
【００７６】
これに対し、イニシャライズ時は、圧縮機１がまだ運転しておらず冷媒音が発生しないため、またＰＭＶ４，６の駆動音発生を長引かせないため、ＰＭＶ４，６の開度変化を速くする。たとえば、ＰＭＶ４，６に供給する駆動パルスの数を１秒間に100パルスとする。
【００７７】
なお、上記実施形態では、暖気味ドライ時、ＰＭＶ６を一定開度に維持したが、ＰＭＶ６の開度を圧縮機１の運転周波数Ｆに応じた一定開度に維持するようにしても同様の効果が得られる。この場合の顕熱量変化を図９に示し、また運転周波数Ｆと一定開度との関係を図１１に示す。すなわち、室内ユニットから室外ユニットに送られる指令コードＳによって運転周波数Ｆが設定されるが、それと同時にＰＭＶ６の一定開度が設定される。
【００７８】
暖気味ドライ時、蒸発器である室内熱交換器７の温度（つまり蒸発温度）を温度センサ１５で検知し、その検知温度が一定値（たとえば５℃〜１０℃）となるようＰＭＶ６の開度を制御しても、同様の効果が得られる。
【００７９】
この場合、蒸発温度が圧縮機１の運転周波数Ｆに応じた所定値に維持されるよう、ＰＭＶ６の開度を制御してもよい。この場合の運転周波数Ｆと蒸発温度との関係を図１２に示す。すなわち、室内ユニットから室外ユニットに送られる指令コードＳによって運転周波数Ｆが設定されると、その運転周波数Ｆに対応する蒸発温度が読出され、その読出し温度に対して温度センサ１５の検知温度が一致するよう、ＰＭＶ６の開度が制御される。
【００８０】
暖気味ドライ時、再熱器である室内熱交換器５の温度（つまり凝縮温度）を温度センサ１６で検知し、その検知温度が一定値（たとえば３０℃〜３５℃）となるようＰＭＶ６の開度を制御しても、同様の効果が得られる。
【００８１】
この場合、凝縮温度が圧縮機１の運転周波数Ｆに応じた所定値に維持されるよう、ＰＭＶ６の開度を制御してもよい。この場合の運転周波数Ｆと凝縮温度との関係を図１３に示す。すなわち、室内ユニットから室外ユニットに送られる指令コードＳによって運転周波数Ｆが設定されると、その運転周波数Ｆに対応する凝縮温度が読出され、その読出し温度に対して温度センサ１５の検知温度が一致するよう、ＰＭＶ６の開度が制御される。
【００８２】
また、上記実施形態では、減圧器としてＰＭＶ４，６を用いたが、それに代えて、キャピラリーと開閉弁からなる絞り量可変の膨張機構を用いてもよい。
【図面の簡単な説明】
【００８３】
【図１】この発明の一実施形態における冷凍サイクルの構成図。
【図２】同実施形態における室内ユニットの内部構成図。
【図３】室内熱交換器の一般的なドレン排出構成を示す図。
【図４】同実施形態における室内熱交換器のドレン排出構成を示す図。
【図５】図４の変形例の構成図。
【図６】図５の室内熱交換器の屈曲前状態を示す図。
【図７】同実施形態におけるドライ用の周波数・回転数割付条件のフォーマット。
【図８】同実施形態におけるドライ運転時の過熱度一定値制御を説明するためのフローチャート。
【図９】同実施形態における運転周波数Ｆと顕熱量との関係を示す図。
【図１０】同実施形態におけるＰＭＶ４，６の開度変化の一例を示すタイムチャート。
【図１１】この発明の他の実施形態におけるＰＭＶ６の開度制御のフォーマット。
【図１２】さらに他の実施形態におけるＰＭＶ６による蒸発温度一定制御のフォーマット。
【図１３】別の実施形態におけるＰＭＶ６による凝縮温度一定制御のフォーマット。
【符号の説明】
【００８４】
１…圧縮機、２…四方弁、３…室外熱交換器、４…ＰＭＶ（第１電子膨張弁）、５…第１室内熱交換器、６…ＰＭＶ（第２電子膨張弁）、７…第２室内熱交換器、８…室外ファン、９…室内ファン、２０…制御部。
【図１】
2004239609.tif 000003
【図２】
2004239609.tif 000004
【図３】
2004239609.tif 000005
【図４】
2004239609.tif 000006
【図５】
2004239609.tif 000007
【図６】
2004239609.tif 000008
【図７】
2004239609.tif 000009
【図８】
2004239609.tif 000010
【図９】
2004239609.tif 000011
【図１０】
2004239609.tif 000012
【図１１】
2004239609.tif 000013
【図１２】
2004239609.tif 000014
【図１３】
2004239609.tif 000015